(57)【要約】  ワイヤレス通信のための方法、装置、およびコンピュータプログラム製品が提供される。態様では、第１の装置が、他の装置に関連する第２の装置の能力に関係する情報を第２の装置から受信し、情報に基づいて第１の装置における関連を制限する。別の態様では、第１の装置は、第２の装置に関連し、第２の装置における望ましい関連の数を示す情報を第２の装置に送信する。【選択図】      図４
2016534630.tif 000002
【特許請求の範囲】
【請求項１】
ワイヤレス通信のための第１の装置であって、前記第１の装置が第２の装置に関連付けられ、
他の装置に関連する前記第２の装置の能力に関係する情報を前記第２の装置から受信するように構成された受信機と、
前記情報に基づいて前記第１の装置における関連を制限するように構成された処理システムと
を備える、第１の装置。
【請求項２】
前記情報が、前記第２の装置に新たに関連することができる局、リレー、または局とリレーの数を示し、
前記処理システムが、前記第２の装置に新たに関連することができる局、リレー、または局とリレーの前記の数に基づいて関連の数を制限することによって、前記第１の装置における前記関連を制限するように構成された、
請求項１に記載の第１の装置。
【請求項３】
前記情報が、前記第１の装置と前記第２の装置との間のホップの数に基づく前記第１の装置における望ましい関連の数を示し、
前記処理システムが、望ましい関連の前記数に基づいて関連の数を制限することによって前記第１の装置における前記関連を制限するように構成された、
請求項１に記載の第１の装置。
【請求項４】
前記情報は、前記第２の装置が新しい関連を受け付けるかどうかを示す値に設定された１ビットを備え、
前記処理システムは、前記第２の装置が新しい関連を受け付けないことを示す値に前記１ビットが設定されたとき、前記第１の装置における前記関連を関連の現在の数に制限するように構成された、
請求項１に記載の第１の装置。
【請求項５】
前記処理システムが、
少なくとも１つの現在の関連をドロップすること、
いくつかの新しい関連を許容すること、または
前記新しい関連を許容しないこと
によって、前記第１の装置における前記関連を制限するように構成された、請求項１に記載の第１の装置。
【請求項６】
前記処理システムが、前記情報に基づいてデータを生成するようにさらに構成され、
前記第１の装置が、前記第１の装置から、前記第１の装置に現在関連付けられた少なくとも１つのリレーまたはアクセスポイントに前記データを送信するように構成された送信機をさらに備える、
請求項１に記載の第１の装置。
【請求項７】
前記送信機が、前記データをブロードキャストするように構成された、請求項６に記載の第１の装置。
【請求項８】
前記データが、前記少なくとも１つのリレーまたはアクセスポイントにおける望ましい関連の数を示し、望ましい関連の前記数が、
前記第２の装置と前記少なくとも１つのリレーまたはアクセスポイントとの間のホップの数、
前記少なくとも１つのリレーまたはアクセスポイントに新たに関連することができる局の数、
前記少なくとも１つのリレーまたはアクセスポイントに新たに関連することができるリレーの数、あるいは
前記少なくとも１つのリレーまたはアクセスポイントに新たに関連することができる局とリレーの数
のうちの少なくとも１つに従って制限される、請求項６に記載の第１の装置。
【請求項９】
前記データがビーコンフレームを介して送信される、請求項６に記載の第１の装置。
【請求項１０】
前記データが、前記第１の装置あるいは前記少なくとも１つのリレーまたはアクセスポイントに新たに関連することができる局、リレー、または局とリレーの数を示す、請求項６に記載の第１の装置。
【請求項１１】
ワイヤレス通信のための第１の装置であって、
第２の装置に関連するように構成された処理システムと、
前記第２の装置における望ましい関連の数を示す情報を前記第２の装置に送信するように構成された送信機と
を備える、第１の装置。
【請求項１２】
前記処理システムが、
バッファサイズ、メモリ、またはエアタイム容量のうちの少なくとも１つが前記第１の装置における新しい関連をもはやサポートすることができないと決定することと、
前記決定に基づいて前記情報を生成することと
を行うように構成された、請求項１１に記載の第１の装置。
【請求項１３】
前記第１の装置における望ましい関連の数を示す他の情報をアクセスポイントから受信するように構成された受信機
をさらに備え、
前記処理システムが、前記他の情報に基づいて前記情報を生成するように構成された、
請求項１１に記載の第１の装置。
【請求項１４】
前記情報がビーコンフレームを介して送信される、請求項１１に記載の第１の装置。
【請求項１５】
前記情報が、前記第１の装置に新たに関連することができる局、リレー、または局とリレーの数を示す、請求項１１に記載の第１の装置。
【請求項１６】
前記情報は、前記第１の装置が新しい関連を受け付けるかどうかを示す値に設定された１ビットを備える、請求項１１に記載の第１の装置。
【請求項１７】
前記情報は、前記第２の装置における望ましい関連の前記数が前記第１の装置と前記第２の装置との間のホップの数に基づくことを示す、請求項１１に記載の第１の装置。
【請求項１８】
第１の装置におけるワイヤレス通信のための方法であって、前記第１の装置が第２の装置に関連付けられ、
他の装置に関連する前記第２の装置の能力に関係する情報を前記第２の装置から受信することと、
前記情報に基づいて前記第１の装置における関連を制限することと
を備える、方法。
【請求項１９】
前記情報が、前記第２の装置に新たに関連することができる局、リレー、または局とリレーの数を示し、
前記制限することが、前記第２の装置に新たに関連することができる局、リレー、または局とリレーの数に基づいて関連の数を制限することを備える、
請求項１８に記載の方法。
【請求項２０】
前記情報が、前記第１の装置と前記第２の装置との間のホップの数に基づく前記第１の装置における望ましい関連の数を示し、
前記制限することが、望ましい関連の前記数に基づいて関連の数を制限することを備える、
請求項１８に記載の方法。
【請求項２１】
前記情報は、前記第２の装置が新しい関連を受け付けるかどうかを示す値に設定された１ビットを備え、
前記限定することは、前記第２の装置が新しい関連を受け付けないことを示す値に前記１ビットが設定されたとき、前記関連を関連の現在の数に制限することを備える、
請求項１８に記載の方法。
【請求項２２】
前記限定することが、
少なくとも１つの現在の関連をドロップすること、
いくつかの新しい関連を許容すること、または
前記新しい関連を許容しないこと
のうちの少なくとも１つを備える、請求項１８に記載の方法。
【請求項２３】
前記情報に基づいてデータを生成することと、
前記第１の装置から、前記第１の装置に現在関連付けられた少なくとも１つのリレーまたはアクセスポイントに前記データを送信することと、
をさらに備える、請求項１８に記載の方法。
【請求項２４】
前記送信することが、前記データをブロードキャストすることを備える、請求項２３に記載の方法。
【請求項２５】
前記データが、前記少なくとも１つのリレーまたはアクセスポイントにおける望ましい関連の数を示し、望ましい関連の前記数が、
前記第２の装置と前記少なくとも１つのリレーまたはアクセスポイントとの間のホップの数、
前記少なくとも１つのリレーまたはアクセスポイントに新たに関連することができる局の数、
前記少なくとも１つのリレーまたはアクセスポイントに新たに関連することができるリレーの数、あるいは
前記少なくとも１つのリレーまたはアクセスポイントに新たに関連することができる局とリレーの数
のうちの少なくとも１つに従って制限される、請求項２３に記載の方法。
【請求項２６】
前記データが、前記第１の装置あるいは前記少なくとも１つのリレーまたはアクセスポイントに新たに関連することができる局、リレー、または局とリレーの数を示す、請求項２３に記載の方法。
【請求項２７】
第１の装置におけるワイヤレス通信のための方法であって、
前記第２の装置に関連することと、
前記第２の装置における望ましい関連の数を示す情報を前記第２の装置に送信することと
を備える、方法。
【請求項２８】
バッファサイズ、メモリ、またはエアタイム容量のうちの少なくとも１つが前記第１の装置における新しい関連をもはやサポートすることができないと決定することと、
前記決定に基づいて前記情報を生成することと
をさらに備える、請求項２７に記載の方法。
【請求項２９】
前記第１の装置における望ましい関連の数を示す他の情報をアクセスポイントから受信することと、
前記他の情報に基づいて前記情報を生成することと
をさらに備える、請求項２７に記載の方法。
【請求項３０】
前記情報は、
前記第１の装置に新たに関連することができる局、リレー、または局とリレーの数、
前記第１の装置が新しい関連を受け付けるかどうか、あるいは
前記第２の装置における望ましい関連の前記数が前記第１の装置と前記第２の装置との間のホップの数に基づくこと、
のうちの少なくとも１つを示す、請求項２７に記載の方法。
【発明の詳細な説明】
【技術分野】
【０００１】
関連出願の相互参照
[0001]本出願は、その全体が参照により本明細書に明確に組み込まれる、２０１４年８月１１日に出願された「ASSOCIATION LIMIT IN RELAY NETWORK」と題する米国非仮出願第１４／４５７，０５６号、および２０１３年８月１９日に出願された「ASSOCIATION LIMIT IN RELAY NETWORK」と題する米国仮出願第６１／８６７，５８６号の利益を主張する。
【０００２】
[0002]本開示は一般に通信システムに関し、より詳細には、他の装置に関連する第１の装置の能力に関係する情報を通信することに関し、ここにおいて、情報が、第２の装置における望ましい関連の数を示す。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]より大きいカバレージおよび増加した通信範囲に対する要望に対処するために、様々な方式が開発されている。１つのそのような方式は、電気電子技術者協会（ＩＥＥＥ）８０２．１１ａｈタスクフォースによって開発されている（たとえば、米国では９０２〜９２８ＭＨｚ範囲中で動作している）サブ１ＧＨｚ周波数範囲である。この開発は、他のＩＥＥＥ８０２．１１グループよりも大きいワイヤレス範囲を有し、より低い障害損失を有する周波数範囲を利用する要望によって推進される。
【発明の概要】
【０００５】
[0005]本開示の態様は、ワイヤレス通信のための第１の装置を提供する。第１の装置は第２の装置に関連付けられる。第１の装置は、概して、他の装置に関連する第２の装置の能力に関係する情報を第２の装置から受信するように構成された受信機と、情報に基づいて第１の装置における関連を制限するように構成された処理システムとを含む。
【０００６】
[0006]本開示の態様は、ワイヤレス通信のための第１の装置を提供する。第１の装置は、概して、第２の装置に関連するように構成された処理システムと、第２の装置における望ましい関連の数を示す情報を第２の装置に送信するように構成された送信機とを含む。
【０００７】
[0007]本開示の態様は、第１の装置によるワイヤレス通信のための方法を提供する。第１の装置は第２の装置に関連付けられる。本方法は、概して、他の装置に関連する第２の装置の能力に関係する情報を第２の装置から受信することと、情報に基づいて第１の装置における関連を制限することとを含む。
【０００８】
[0008]本開示の態様は、第１の装置によるワイヤレス通信のための方法を提供する。本方法は、概して、第２の装置に関連することと、第２の装置における望ましい関連の数を示す情報を第２の装置に送信することとを含む。
【０００９】
[0009]本開示の態様は、ワイヤレス通信のための第１の装置を提供する。第１の装置は第２の装置に関連付けられる。第１の装置は、概して、他の装置に関連する第２の装置の能力に関係する情報を第２の装置から受信するための手段と、情報に基づいて第１の装置における関連を制限するための手段とを含む。
【００１０】
[0010]本開示の態様は、ワイヤレス通信のための第１の装置を提供する。第１の装置は、概して、第２の装置に関連するための手段と、第２の装置における望ましい関連の数を示す情報を第２の装置に送信するための手段とを含む。
【００１１】
[0011]本開示の態様は、命令を記憶したコンピュータ可読媒体を備える、第１の装置によるワイヤレス通信のためのコンピュータプログラム製品を提供する。第１の装置は第２の装置に関連付けられる。命令は、概して、他の装置に関連する第２の装置の能力に関係する情報を第２の装置から受信することと、情報に基づいて第１の装置における関連を制限することとを行うために実行可能である。
【００１２】
[0012]本開示の態様は、命令を記憶したコンピュータ可読媒体を備える、第１の装置によるワイヤレス通信のためのコンピュータプログラム製品を提供する。命令は、概して、第２の装置に関連することと、第２の装置における望ましい関連の数を示す情報を第２の装置に送信することとを行うために実行可能である。
【００１３】
[0013]本開示の上述の特徴が詳細に理解され得るように、添付の図面にその一部を示す態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なすべきではないことに留意されたい。
【図面の簡単な説明】
【００１４】
【図１】[0014]本開示のいくつかの態様による、例示的なワイヤレス通信ネットワークの図。
【図２】[0015]本開示のいくつかの態様による、例示的なアクセスポイントおよびユーザ端末のブロック図。
【図３】[0016]本開示のいくつかの態様による、例示的なワイヤレスデバイスのブロック図。
【図４】[0017]本開示のいくつかの態様による、第１の装置によるワイヤレス通信のための例示的な動作のブロック図。
【図４Ａ】[0018]図４に示された動作を実行することが可能な例示的な手段を示す図。
【図５】[0019]本開示のいくつかの態様による、第１の装置によるワイヤレス通信のための例示的な動作のブロック図。
【図５Ａ】[0020]図５に示された動作を実行することが可能な例示的な手段を示す図。
【発明を実施するための形態】
【００１５】
[0021]添付の図面を参照しながら本開示の様々な態様について以下でより十分に説明する。ただし、本開示は、多くの異なる形態で実施され得、本開示全体にわたって提示する任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わされるにせよ、本明細書で開示する本開示のいかなる態様をもカバーするものであることを、当業者は諒解されたい。たとえば、本明細書に記載する態様をいくつ使用しても、装置は実装され得、または方法は実施され得る。さらに、本開示の範囲は、本明細書に記載された本開示の様々な態様に加えてまたはそれら以外に、他の構造、機能、または構造および機能を使用して実施されるそのような装置または方法をカバーするものとする。本明細書で開示する本開示のいずれの態様も、請求項の１つまたは複数の要素によって実施され得ることを理解されたい。
【００１６】
[0022]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００１７】
[0023]本明細書では、ワイヤレス通信の分野における一般に認識されている使用法に一致する、以下に記載する頭文字を使用することがある。本明細書では、他の頭文字を使用することもあり、以下のリストにおいて定義されていない場合は、本明細書で最初に出現する場所で定義する。
【００１８】
ＡＣＫ．．．．．．．．．．．確認応答
Ａ−ＭＰＤＵ．．．．．．アグリゲート媒体アクセス制御プロトコルデータユニット（Aggregated Media Access Control Protocol Data Unit）
ＡＰ．．．．．．．．．．．．．アクセスポイント
ＢＡ．．．．．．．．．．．．．ブロックＡＣＫ
ＢＡＲ．．．．．．．．．．．ブロックＡＣＫ要求
ＣＲＣ．．．．．．．．．．．巡回冗長検査（cyclic redundancy check）
ＤＩＦＳ．．．．．．．．．分散フレーム間スペース
ＥＯＦ．．．．．．．．．．．フレームの終了
ＥＩＦＳ．．．．．．．．．拡張フレーム間スペース
ＦＣＳ．．．．．．．．．．．フレーム検査シーケンス
ＩＤ．．．．．．．．．．．．．識別子
ＩＥＥＥ．．．．．．．．．米国電気電子技術者協会
ＬＴＦ．．．．．．．．．．．ロングトレーニングフィールド
ＭＡＣ．．．．．．．．．．．メディアアクセス制御
ＭＳＢ．．．．．．．．．．．最上位ビット
ＭＩＭＯ．．．．．．．．．多入力多出力
ＭＰＤＵ．．．．．．．．．ＭＡＣプロトコルデータユニット
ＭＵ．．．．．．．．．．．．．マルチユーザ
ＭＵ−ＭＩＭＯ．．．マルチユーザ多入力多出力
ＮＤＰ．．．．．．．．．．．ヌルデータパケット
ＯＦＤＭ．．．．．．．．．直交周波数分割変調
ＯＦＤＭＡ．．．．．．．直交周波数分割多元接続
ＰＨＹ．．．．．．．．．．．物理レイヤ
ＰＬＣＰ．．．．．．．．．物理レイヤコンバージェンスプロトコル
ＰＰＤＵ．．．．．．．．．ＰＬＣＰプロトコルデータユニット
ＰＳＤＵ．．．．．．．．．ＰＬＣＰサービスデータユニット
ＱｏＳ．．．．．．．．．．．サービス品質
ＲＤＧ．．．．．．．．．．．逆方向グラント
ＳＤＭＡ．．．．．．．．．空間分割多元接続
ＳＩＦＳ．．．．．．．．．ショートフレーム間スペース（Short Interframe Space）
ＳＩＧ．．．．．．．．．．．信号（たとえば、サブ１ＧＨｚ）
ＳＴＡ．．．．．．．．．．．局
ＳＴＢＣ．．．．．．．．．時空間ブロックコーディング
ＳＴＦ．．．．．．．．．．．ショートトレーニングフィールド
ＳＵ．．．．．．．．．．．．．シングルユーザ
ＴＣＰ．．．．．．．．．．．伝送制御プロトコル
ＶＨＴ．．．．．．．．．．．超高スループット
ＷＬＡＮ．．．．．．．．．ワイヤレスローカルエリアネットワーク
例示的なワイヤレス通信システム
[0024]本明細書で説明する技法は、直交多重化方式に基づく通信システムを含む、様々なブロードバンドワイヤレス通信システムに使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００１９】
[0025]本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードはアクセスポイントまたはアクセス端末を備え得る。
【００２０】
[0026]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらとして実装されるか、あるいはそれらとして知られ得る。
【００２１】
[0027]アクセス端末（「ＡＴ」）は、加入者局、加入者ユニット、移動局（ＭＳ）、リモート局、リモート端末、ユーザ端末（ＵＴ）、ユーザエージェント、ユーザデバイス、ユーザ機器（ＵＥ）、ユーザ局、または何らかの他の用語を備えるか、それらとして実装されるか、あるいはそれらとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、タブレット、ポータブル通信デバイス、ポータブルコンピューティングデバイス（たとえば、個人情報端末）、エンターテインメントデバイス（たとえば、音楽もしくはビデオデバイス、または衛星ラジオ）、全地球測位システム（ＧＰＳ）デバイス、あるいはワイヤレスまたはワイヤード媒体を介して通信するように構成された他の好適なデバイスに組み込まれ得る。いくつかの態様では、ノードはワイヤレスノードである。そのようなワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２２】
[0028]図１に、アクセスポイントとユーザ端末とをもつ多元接続多入力多出力（ＭＩＭＯ）システム１００を示す。簡単のために、ただ１つのアクセスポイント１１０が図１に示されている。アクセスポイントは、概して、ユーザ端末と通信する固定局であり、基地局または何らかの他の用語で呼ばれることもある。ユーザ端末は、固定また移動であり得、移動局、ワイヤレスデバイス、または何らかの他の用語で呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピア（デバイスツーデバイス）に通信し得る。システムコントローラ１３０が、アクセスポイントに結合し、アクセスポイントの調整および制御を行う。
【００２３】
[0029]以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含み得る。したがって、そのような態様では、ＡＰ１１０は、ＳＤＭＡユーザ端末と非ＳＤＭＡユーザ端末の両方と通信するように構成され得る。この手法は、より新しいＳＤＭＡユーザ端末が適宜に導入されることを可能にしながら、より古いバージョンのユーザ端末（「レガシー」局）が企業に配備されたままであることを都合よく可能にして、それらの有効寿命を延長し得る。
【００２４】
[0030]いくつかの構成では、ユーザ端末は、アクセスポイントとユーザ端末との間または２つのユーザ端末間の中継ポイントとして働き得る。たとえば、図１を参照すると、ユーザ端末１２０ｆは、ＡＰ１１０とユーザ端末１２０ｇとの間のリレーとして働き得る。別の例では、ユーザ端末１２０ｇは、ユーザ端末１２０ｆとユーザ端末１２０ｈとの間のリレーとして働き得る。当業者なら、特定の適用例および全体的なシステムに課される全体的な設計制約に応じて、ワイヤレスノードに対して適切なプロトコルを容易に実装することができよう。
【００２５】
[0031]システム１００は、ダウンリンクおよびアップリンク上でのデータ伝送のために複数の送信アンテナおよび複数の受信アンテナを採用する。アクセスポイント１１０は、Ｎap個のアンテナを装備し、ダウンリンク送信では多入力（ＭＩ）を表し、アップリンク送信では多出力（ＭＯ）を表す。Ｋ個の選択されたユーザ端末１２０のセットは、ダウンリンク送信では多出力をまとめて表し、アップリンク送信では多入力をまとめて表す。純粋なＳＤＭＡの場合、Ｋ個のユーザ端末のためのデータシンボルストリームが何らかの手段によってコード、周波数または時間において多重化されない場合、Ｎap≧Ｋ≧１が成り立つことが望まれる。データシンボルストリームがＴＤＭＡ技法、ＣＤＭＡを用いた異なるコードチャネル、ＯＦＤＭを用いたサブバンドの独立セットなどを使用して多重化され得る場合、ＫはＮapよりも大きくなり得る。各選択されたユーザ端末は、ユーザ固有データをアクセスポイントに送信し、および／またはアクセスポイントからユーザ固有データを受信する。概して、各選択されたユーザ端末は１つまたは複数のアンテナを装備し得る（すなわち、Ｎut≧１）。Ｋ個の選択されたユーザ端末は同じまたは異なる数のアンテナを有することができる。
【００２６】
[0032]ＳＤＭＡシステムは時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、伝送のために単一のキャリアまたは複数のキャリアを利用し得る。各ユーザ端末は、（たとえば、コストを抑えるために）単一のアンテナを装備するか、または（たとえば、追加コストがサポートされ得る場合）複数のアンテナを装備し得る。送信／受信を異なるタイムスロットに分割し、各タイムスロットを異なるユーザ端末１２０に割り当てることによってユーザ端末１２０が同じ周波数チャネルを共有する場合、システム１００はＴＤＭＡシステムでもあり得る。
【００２７】
[0033]図２に、ＭＩＭＯシステム１００におけるアクセスポイント１１０と２つのユーザ端末１２０ｍおよび１２０ｘとのブロック図を示す。アクセスポイント１１０はＮt個のアンテナ２２４ａ〜２２４ｔを装備する。ユーザ端末１２０ｍはＮut,m個のアンテナ２５２ｍａ〜２５２ｍｕを装備し、ユーザ端末１２０ｘはＮut,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時送信のために選択され、Ｎdn個のユーザ端末がダウンリンク上の同時送信のために選択され、Ｎupは、Ｎdnに等しいことも等しくないこともあり、ＮupおよびＮdnは、静的な値であり得るか、またはスケジュール間隔ごとに変化することがある。ビームステアリングまたは何らかの他の空間処理技法がアクセスポイントおよびユーザ端末において使用され得る。
【００２８】
[0034]アップリンク上で、アップリンク送信のために選択された各ユーザ端末１２０において、送信（ＴＸ）データプロセッサ２８８は、データソース２８６からトラフィックデータを受信し、コントローラ２８０から制御データを受信する。ＴＸデータプロセッサ２８８は、ユーザ端末のために選択されたレートに関連するコーディングおよび変調方式に基づいてユーザ端末のためにトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。各送信機ユニット（ＴＭＴＲ）２５４は、アップリンク信号を生成するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からアクセスポイントへの送信のためのＮut,m個のアップリンク信号を与える。
【００２９】
[0035]Ｎup個のユーザ端末がアップリンク上の同時送信のためにスケジュールされ得る。これらのユーザ端末の各々は、それのデータシンボルストリームに対して空間処理を実行し、アップリンク上で送信シンボルストリームのそれのセットをアクセスポイントに送信する。
【００３０】
[0036]アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実行された処理を補足する処理を実行し、受信シンボルストリームを与える。ＲＸ空間プロセッサ２４０は、Ｎap個の受信機ユニット２２２からのＮap個の受信シンボルストリームに対して受信機空間処理を実行し、Ｎｕｐ個の復元アップリンクデータシンボルストリームを与える。受信機空間処理は、チャネル相関行列反転（ＣＣＭＩ）、最小平均２乗誤差（ＭＭＳＥ）、ソフト干渉消去（ＳＩＣ）、または何らかの他の技法に従って実行される。各復元アップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元アップリンクデータシンボルストリームを処理（たとえば、復調、デインターリーブ、および復号）する。各ユーザ端末の復号データは、記憶のためにデータシンク２４４に与えられ、および／またはさらなる処理のためにコントローラ２３０に与えられ得る。
【００３１】
[0037]ダウンリンク上で、アクセスポイント１１０において、ＴＸデータプロセッサ２１０が、ダウンリンク送信のためにスケジュールされたＮdn個のユーザ端末のためのトラフィックデータをデータソース２０８から受信し、コントローラ２３０から制御データを受信し、場合によってはスケジューラ２３４から他のデータを受信する。様々なタイプのデータが異なるトランスポートチャネル上で送信され得る。ＴＸデータプロセッサ２１０は、各ユーザ端末のために選択されたレートに基づいてそのユーザ端末のトラフィックデータを処理（たとえば、符号化、インターリーブ、および変調）する。ＴＸデータプロセッサ２１０はＮdn個のダウンリンクデータシンボルストリームをＮdn個のユーザ端末に与える。ＴＸ空間プロセッサ２２０は、Ｎdn個のダウンリンクデータシンボルストリームに対して（本開示で説明するプリコーディングまたはビームフォーミングなどの）空間処理を実行し、Ｎap個の送信シンボルストリームをＮap個のアンテナに与える。各送信機ユニット２２２は、ダウンリンク信号を生成するために、それぞれの送信シンボルストリームを受信し、処理する。Ｎap個のアンテナ２２４からユーザ端末への送信のためのＮap個のダウンリンク信号を与えるＮap個の送信機ユニット２２２。
【００３２】
[0038]各ユーザ端末１２０において、Ｎut,m個のアンテナ２５２はアクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実行し、復元ダウンリンクデータシンボルストリームをユーザ端末に与える。受信機空間処理は、ＣＣＭＩ、ＭＭＳＥまたは何らかの他の技法に従って実行される。ＲＸデータプロセッサ２７０は、ユーザ端末のための復号データを取得するために、復元ダウンリンクデータシンボルストリームを処理（たとえば、復調、デインターリーブおよび復号）する。
【００３３】
[0039]各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、チャネル推定器２２８は、アップリンクチャネル応答を推定し、アップリンクチャネル推定値を与える。各ユーザ端末のコントローラ２８０は、一般に、そのユーザ端末のダウンリンクチャネル応答行列Ｈdn,mに基づいてユーザ端末の空間フィルタ行列を導出する。コントローラ２３０は、有効アップリンクチャネル応答行列Ｈup,effに基づいてアクセスポイントの空間フィルタ行列を導出する。各ユーザ端末のコントローラ２８０は、フィードバック情報（たとえば、ダウンリンクおよび／またはアップリンク固有ベクトル、固有値、ＳＮＲ推定値など）をアクセスポイントに送り得る。コントローラ２３０およびコントローラ２８０はまた、それぞれ、アクセスポイント１１０およびユーザ端末１２０における様々な処理ユニットの動作を制御する。
【００３４】
[0040]図３に、ＭＩＭＯシステム１００内で採用され得るワイヤレスデバイス３０２において利用され得る様々な構成要素を示す。ワイヤレスデバイス３０２は、本明細書で説明する様々な方法を実装するように構成され得るデバイスの一例である。ワイヤレスデバイス３０２はアクセスポイント１１０またはユーザ端末１２０であり得る。
【００３５】
[0041]ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。ワイヤレスデバイス３０２は、データまたは情報を生成するための生成器３０５をも含み得る。生成器３０５によって生成されたデータまたは情報は、メモリ３０６に記憶され得る。読取り専用メモリ（ＲＯＭ）とランダムアクセスメモリ（ＲＡＭ）の両方を含み得るメモリ３０６は、命令とデータとをプロセッサ３０４に与える。メモリ３０６の一部は不揮発性ランダムアクセスメモリ（ＮＶＲＡＭ）をも含み得る。プロセッサ３０４は、一般に、メモリ３０６内に記憶されたプログラム命令に基づいて論理演算および算術演算を実行する。メモリ３０６中の命令は、本明細書で説明する方法を実装するために実行可能であり得る。
【００３６】
[0042]ワイヤレスデバイス３０２はまた、ワイヤレスデバイス３０２と遠隔ロケーションとの間のデータの送信および受信を可能にするために送信機３１０と受信機３１２とを含み得るハウジング３０８を含み得る。送信機３１０と受信機３１２とは組み合わされてトランシーバ３１４になり得る。単一または複数の送信アンテナ３１６が、ハウジング３０８に取り付けられ、トランシーバ３１４に電気的に結合され得る。ワイヤレスデバイス３０２はまた、複数の送信機と、複数の受信機と、複数のトランシーバとを含み得る（図示せず）。
【００３７】
[0043]ワイヤレスデバイス３０２はまた、トランシーバ３１４によって受信された信号のレベルを検出し、定量化するために使用され得る信号検出器３１８を含み得る。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するためのデジタル信号プロセッサ（ＤＳＰ）３２０を含み得る。
【００３８】
[0044]ワイヤレスデバイス３０２の様々な構成要素は、データバスに加えて、電力バスと、制御信号バスと、ステータス信号バスとを含み得る、バスシステム３２２によって互いに結合され得る。
【００３９】
[0045]上述のように、ユーザ端末（局）は、アクセスポイントとユーザ端末との間または２つのユーザ端末間の中継ポイントとして働き得る。一態様では、ユーザ端末はマルチホップリレー構造に参加し得、ここにおいて、いくつかのユーザ端末は、アクセスポイントとユーザ端末との間または２つのユーザ端末間の中継ポイントとして働き得る。たとえば、図１を参照すると、ＡＰ１１０、ユーザ端末１２０ｆ、ユーザ端末１２０ｇ、およびユーザ端末１２０ｈはマルチホップリレーの中にあり得、ここにおいて、ユーザ端末１２０ｆおよびユーザ端末１２０ｇはＡＰ１１０とユーザ端末１２０ｈとの間の中継ポイントとして働く。マルチホップリレーの例では、ＡＰ１１０がユーザ端末１２０ｈに情報を通信するために、ＡＰ１１０は最初に、情報をユーザ端末１２０ｆにパス（pass）し得（たとえば、第１のホップ）、ユーザ端末１２０ｆは次いで、受信した情報に基づいてデータを生成し、データをユーザ端末１２０ｇにパスし得る（たとえば、第２のホップ）。ユーザ端末１２０ｇは同様に、受信した第１のデータに基づいて第２のデータを生成し、第２のデータをユーザ端末１２０ｈにパスし得る（たとえば、第３のホップ）。したがって、ユーザ端末１２０ｈは、ＡＰ１１０から３ホップ離れていると見なされ得る。ユーザ端末１２０ｈは、上記で説明した動作とは逆方向の３ホップリレーを通して情報をパスすることによって、ＡＰ１１０に情報を通信し得る。
【００４０】
[0046]マルチホップリレーでは、ルートアクセスポイント（ルートＡＰ）（たとえば、ＡＰ１１０）が、たとえば、バッファサイズ、メモリ、またはエアタイム制限（airtime limitations）に関係する容量問題のために、ルートＡＰに関連する局またはリレーの数を制限する必要があり得る。概して、ルートＡＰは、関連がリレーによってローカルに実行されるので、リレー構造を介して最終的にルートＡＰに関連する局またはリレー数の制御を有しないことがある。たとえば、図１を参照すると、ユーザ端末１２０ｇは、ＡＰ１１０からの許可または制限なしにユーザ端末１２０ｈに関連し得る。ＡＰ１１０は、ユーザ端末１２０ｇが、関連を示す情報をリレーツリーの上にパスするとき（たとえば、情報は、ユーザ端末１２０ｇから、ユーザ端末１２０ｆに、次いでＡＰ１１０にパスされる）、関連を知るにすぎない。
【００４１】
[0047]本開示の一態様では、ルートＡＰは、局またはリレーに関連するルートＡＰの能力を示す情報をリレーに送り得る。たとえば、情報は、ルートＡＰに関連する局またはリレーをサポートするための最大容量にルートＡＰが達し、したがって、リレーにおける新しい関連が許容されないことを示し得る。別の例では、情報は、関連をサポートするための残りの容量を示し得る。さらなる一例では、情報は、リレーにおいて関連付けられることを許容される局またはリレーの数を示し得る。
【００４２】
[0048]リレーは、ルートＡＰからの情報に基づいてリレーにおける関連の数を制限し得る。リレーは、局またはリレーとの現在の関連をドロップすること、新しい関連の最大数のみを許容すること、および／または新しい関連を許容にしないことによって、関連の数を制限し得る。
【００４３】
[0049]ルートＡＰは、ビーコンフレーム中で情報を広告することによってリレーに情報を送り得る。情報は、ビーコンフレームの情報要素またはリレー要素中に含まれ得る。リレーは、情報をリレーのビーコンフレームにコピーし、他のリレーに情報を広告し得る。
【００４４】
[0050]一態様では、情報は、ルートＡＰに新たに関連することができるリレーの数を示し得る。別の態様では、情報は、ルートＡＰに新たに関連することができる局とリレーの数を示し得る。さらなる態様では、情報は、ルートＡＰが新しい関連のために局およびリレーを受け付けるかどうかを示す値に設定された１ビットであり得る。
【００４５】
[0051]一態様では、情報は、ルートＡＰとリレーとの間のホップの数に従って、リレーにおいて許容される関連の数を制限し得る。たとえば、リレーがルートＡＰから３ホップ離れている場合、リレーは、最大３つの局またはリレーに関連することに制限され得る。情報は、ビーコンフレームのいくつかのフィールド中に含まれ得、ここにおいて、各フィールドは、ルートＡＰから離れたホップの数ごとに許容される関連の数に対する制限を定義し得る。例では、リレーにおいて許容される関連の最大数の値は、リレーがルートＡＰから離れているホップの数に等しい。しかしながら、ルートＡＰは、リレーがルートＡＰから離れているホップの数に対応するリレーにおける許容される関連の最大数の値を任意に設定し得る。
【００４６】
[0052]以下の表１に、ルートＡＰとリレーとの間のホップの数に従ってリレーにおいて許容にされる関連の数を制限する情報の一例を示す。表は、最大３ホップについての情報のみを与えるが、許容される関連の対応する数ととともにホップの数が、ルートＡＰからリレーに送られる情報中に含まれ得る。
【００４７】
【表１】
2016534630.tif 000003
【００４８】
[0053]一態様では、リレーは、リレーにおいて許容される関連の数を制限する情報に基づいてデータを生成し得る。リレーは、１つまたは複数の他のリレーまたはリレーに現在関連付けられたアクセスポイントにデータを送信（たとえば、ブロードキャスト）し得る。データは、１つまたは複数のリレーまたはアクセスポイントにおける望ましい関連の数を示し得る。代替的に、データは、リレーあるいは１つまたは複数の他のリレーまたはアクセスポイントに新たに関連することができる局、リレー、またはリレーと局の数を示し得る。例示的な動作では、データが、リレーあるいは１つまたは複数の他のリレーまたはアクセスポイントに新たに関連することを許容される局の数が０であることを示す場合、（たとえば、ブロードキャストを聴取することを介して）データを受信する局は、リレーあるいは１つまたは複数の他のリレーまたはアクセスポイントとの関連を回避することを決定し得る。
【００４９】
[0054]図４は、本開示の態様による、第１の装置によるワイヤレス通信のための例示的動作４００のブロック図である。第１の装置は第２の装置に関連付けられ得る。
【００５０】
[0055]４０２において、第１の装置は、他の装置に関連する第２の装置の能力に関係する情報を第２の装置から受信する。４０４において、第１の装置は、情報に基づいて第１の装置における関連を制限する。第１の装置は、少なくとも１つの現在の関連をドロップすること、新しい関連の最大数を許容すること、および／または、新しい関連を許容しないことによって、関連を制限し得る。
【００５１】
[0056]一態様では、情報は、第２の装置に新たに関連することができる局、リレー、または局とリレーの数を示し得る。したがって、第１の装置は、第２の装置に新たに関連することができる局、リレー、または局とリレーの数に基づいて関連の数を制限し得る。
【００５２】
[0057]さらなる態様では、情報は、第１の装置における望ましい関連の数を示し得る。望ましい関連の数は、第１の装置と第２の装置との間のホップの数に基づき得る。したがって、第１の装置は、望ましい関連の数に基づいて関連の数を制限し得る。
【００５３】
[0058]別の態様では、情報は、第２の装置が新しい関連を受け付けるかどうかを示す値に設定された１ビットであり得る。したがって、第１の装置は、第２の装置が新しい関連を受け付けないことを示す値に１ビットが設定されたとき、第１の装置における関連を関連の現在の数に制限し得る。
【００５４】
[0059]４０６において、第１の装置は情報に基づいてデータを生成する。４０８において、第１の装置は、第１の装置から、第１の装置に現在関連付けられた少なくとも１つのリレーまたはアクセスポイントにデータを送信する。第１の装置は、ブロードキャストを介してデータを送信し得る。
【００５５】
[0060]一態様では、データは、少なくとも１つのリレーまたはアクセスポイントにおける望ましい関連の数を示し得る。望ましい関連の数は、１）第２の装置と少なくとも１つのリレーまたはアクセスポイントとの間のホップの数、２）少なくとも１つのリレーまたはアクセスポイントに新たに関連することができる局の数、３）少なくとも１つのリレーまたはアクセスポイントに新たに関連することができるリレーの数、および／または４）少なくとも１つのリレーまたはアクセスポイントに新たに関連することができる局とリレーの数に従って制限され得る。別の態様では、データは、第１の装置あるいは少なくとも１つのリレーまたはアクセスポイントに新たに関連することができる局、リレー、または局とリレーの数を示し得る。
【００５６】
[0061]一態様では、データはビーコンフレームを介して送信され得る。詳細には、データは、ビーコンフレームの情報要素を介して送信され得る。代替的に、データは、ビーコンフレームのリレー要素を介して送信され得る。
【００５７】
[0062]図５は、本開示の態様による、第１の装置によるワイヤレス通信のための例示的動作５００のブロック図である。
【００５８】
[0063]５０２において、第１の装置は第２の装置に関連する。５０４において、第１の装置は情報を生成する。第１の装置は、バッファサイズ、メモリ、またはエアタイム容量のうちの少なくとも１つが第１の装置における新しい関連をもはやサポートすることができないと第１の装置が決定したことに基づいて情報を生成し得る。代替的に、第１の装置は、第１の装置が、第１の装置における望ましい関連の数を示す他の情報をアクセスポイントから受信することに基づいて情報を生成し得る。５０６において、第１の装置は、第２の装置における望ましい関連の数を示す情報を第２の装置に送信する。
【００５９】
[0064]一態様では、第１の装置はビーコンフレームを介して情報を送信し得る。特に、情報は、ビーコンフレームの情報要素を介して送信され得る。代替的に、情報は、ビーコンフレームのリレー要素を介して送信され得る。
【００６０】
[0065]さらなる態様では、情報は、第１の装置に新たに関連することができる局、リレー、または局とリレーの数を示し得る。情報は、第１の装置が新しい関連を受け付けるかどうかを示す値に設定された１ビットであり得る。さらに、情報は、第２の装置における望ましい関連の数が第１の装置と第２の装置との間のホップの数に基づくことを示し得る。
【００６１】
[0066]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示された動作がある場合、それらの動作は、同様の番号をもつ対応するカウンターパートのミーンズプラスファンクション構成要素を有し得る。たとえば、図４および図５に示された動作４００および動作５００は、それぞれ、図４Ａおよび図５Ａに示された手段４００Ａおよび手段５００Ａに対応する。
【００６２】
[0067]たとえば、送信するための手段（たとえば、手段４０８Ａおよび５０６Ａ）は、図２に示されたアクセスポイント１１０の送信機（たとえば、送信機ユニット２２２）および／または（１つまたは複数の）アンテナ２２４、あるいは図３に示された送信機３１０および／または（１つまたは複数の）アンテナ３１６を備え得る。受信するための手段（たとえば、手段４０２Ａ）は、図２に示されたアクセスポイント１１０の受信機（たとえば、受信機ユニット２２２）および／または（１つまたは複数の）アンテナ２２４、あるいは図３に示された受信機３１２および／または（１つまたは複数の）アンテナ３１６を備え得る。
【００６３】
[0068]制限するための手段（たとえば、手段４０４Ａ）、生成するための手段（たとえば、手段４０６Ａおよび５０４Ａ）、および／または関連するための手段（たとえば、手段５０２Ａ）は、図２に示されたアクセスポイント１１０のＲＸデータプロセッサ２４２、ＴＸデータプロセッサ２１０、および／またはコントローラ２３０、あるいは図３に描かれたプロセッサ３０４および／またはＤＳＰ３２０など、１つまたは複数のプロセッサを含み得る、処理システムを備え得る。
【００６４】
[0069]いくつかの態様によれば、そのような手段は、（たとえば、ハードウェアでまたはソフトウェア命令を実行することによって）様々なアルゴリズムを実装することによって、対応する機能を実行するように構成された処理システムによって実装され得る。たとえば、入力として、他の装置に関連する第２の装置の能力に関係する情報を第２の装置から第１の装置において受信するためのアルゴリズム。この入力に基づいて、アルゴリズムは、情報に基づいて第１の装置における関連を制限し得る。同様に、第２の装置に関連すること、情報を生成すること、および第２の装置における望ましい関連の数を示す情報を第２の装置に送信するためのアルゴリズム。
【００６５】
[0070]本明細書で使用する「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【００６６】
[0071]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【００６７】
[0072]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６８】
[0073]本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサと一体であり得る。
【００６９】
[0074]本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【００７０】
[0075]説明した機能は、ハードウェア、ソフトウェア、ファームウェア、またはそれらの任意の組合せで実装され得る。ハードウェアで実装した場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹ層の信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがってこれ以上説明しない。
【００７１】
[0076]プロセッサは、機械可読媒体に記憶されたソフトウェアの実行を含む、バスおよび一般的な処理を管理することを担当し得る。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。コンピュータプログラム製品はパッケージング材料を備え得る。
【００７２】
[0077]ハードウェア実装形態では、機械可読媒体は、プロセッサとは別個の処理システムの一部であり得る。しかしながら、当業者なら容易に理解するように、機械可読媒体またはその任意の部分は処理システムの外部にあり得る。例として、機械可読媒体は、すべてバスインターフェースを介してプロセッサによってアクセスされ得る、伝送線路、データによって変調された搬送波、および／またはワイヤレスノードとは別個のコンピュータ製品を含み得る。代替的に、または追加として、機械可読媒体またはその任意の部分は、キャッシュおよび／または汎用レジスタファイルがそうであり得るように、プロセッサに統合され得る。
【００７３】
[0078]処理システムは、すべて外部バスアーキテクチャを介して他のサポート回路と互いにリンクされる、プロセッサ機能を提供する１つまたは複数のマイクロプロセッサと、機械可読媒体の少なくとも一部を提供する外部メモリとをもつ汎用処理システムとして構成され得る。代替的に、処理システムは、プロセッサをもつＡＳＩＣ（特定用途向け集積回路）と、バスインターフェースと、アクセス端末）の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明した様々な機能を実行することができる回路の任意の組合せを用いて、実装され得る。当業者なら、特定の適用例と、全体的なシステムに課される全体的な設計制約とに応じて、どのようにしたら処理システムについて説明した機能を最も良く実装し得るかを理解されよう。
【００７４】
[0079]機械可読媒体はいくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【００７５】
[0080]ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は、一時的なコンピュータ可読媒体（たとえば、信号）を備え得る。上記の組合せもコンピュータ可読媒体の範囲内に含まれるべきである。
【００７６】
[0081]したがって、いくつかの態様は、本明細書で提示した動作を実行するためのコンピュータプログラム製品を備え得る。たとえば、そのようなコンピュータプログラム製品は、本明細書で説明した動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【００７７】
[0082]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【００７８】
[0083]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
【図１】
2016534630.tif 000004
【図２】
2016534630.tif 000005
【図３】
2016534630.tif 000006
【図４】
2016534630.tif 000007
【図４Ａ】
2016534630.tif 000008
【図５】
2016534630.tif 000009
【図５Ａ】
2016534630.tif 000010
【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
マルチホップリレー構造におけるワイヤレス通信のためのユーザ端末であって、前記ユーザ端末がアクセスポイントにワイヤレスで接続され、
他の装置にワイヤレスで接続する前記アクセスポイントの能力に関係する情報を前記アクセスポイントから受信するように構成された受信機と、
前記情報に基づいて前記ユーザ端末におけるワイヤレス接続を制限するように構成された処理システムと
を備える、ユーザ端末。
【請求項２】
前記情報が、前記アクセスポイントに新たにワイヤレスで接続することができる局、リレー、または局とリレーの数を示し、
前記処理システムが、前記アクセスポイントに新たにワイヤレスで接続することができる局、リレー、または局とリレーの前記数に基づいてワイヤレス接続の数を制限することによって、前記ユーザ端末における前記ワイヤレス接続を制限するように構成された、
請求項１に記載のユーザ端末。
【請求項３】
前記情報が、前記ユーザ端末と前記アクセスポイントとの間のホップの数に基づく前記ユーザ端末における望ましいワイヤレス接続の数を示し、
前記処理システムが、望ましいワイヤレス接続の前記数に基づいてワイヤレス接続の数を制限することによって前記ユーザ端末における前記ワイヤレス接続を制限するように構成された、
請求項１に記載のユーザ端末。
【請求項４】
前記情報は、前記アクセスポイントが新しいワイヤレス接続を受け付けるかどうかを示す値に設定された１ビットを備え、
前記処理システムは、前記アクセスポイントが新しいワイヤレス接続を受け付けないことを示す値に前記１ビットが設定されたとき、前記第１の装置における前記ワイヤレス接続をワイヤレス接続の現在の数に制限するように構成された、
請求項１に記載のユーザ端末。
【請求項５】
前記処理システムが、
少なくとも１つの現在のワイヤレス接続をドロップすること、
いくつかの新しいワイヤレス接続を許容すること、または
前記新しいワイヤレス接続を許容しないこと
によって、前記ユーザ端末における前記ワイヤレスで接続を制限するように構成された、請求項１に記載のユーザ端末。
【請求項６】
前記処理システムが、前記情報に基づいてデータを生成するようにさらに構成され、
前記ユーザ端末が、前記ユーザ端末から、前記ユーザ端末に現在接続された少なくとも１つのリレーまたはアクセスポイントに前記データを送信するように構成された送信機をさらに備える、
請求項１に記載のユーザ端末。
【請求項７】
前記送信機が、前記データをブロードキャストするように構成された、請求項６に記載のユーザ端末。
【請求項８】
前記データが、前記少なくとも１つのリレーまたはアクセスポイントにおける望ましいワイヤレス接続の数を示し、望ましいワイヤレス接続の前記数が、
前記アクセスポイントと前記少なくとも１つのリレーまたはアクセスポイントとの間のホップの数、
前記少なくとも１つのリレーまたはアクセスポイントに新たに接続することができる局の数、
前記少なくとも１つのリレーまたはアクセスポイントに新たに接続することができるリレーの数、あるいは
前記少なくとも１つのリレーまたはアクセスポイントに新たに接続することができる局とリレーの数
のうちの少なくとも１つに従って制限される、請求項６に記載のユーザ端末。
【請求項９】
前記データがビーコンフレームを介して送信される、請求項６に記載のユーザ端末。
【請求項１０】
前記データが、前記ユーザ端末あるいは前記少なくとも１つのリレーまたはアクセスポイントに新たに接続することができる局、リレー、または局とリレーの数を示す、請求項６に記載のユーザ端末。
【請求項１１】
マルチホップリレー構造におけるワイヤレス通信のためのアクセスポイントであって、
ユーザ端末にワイヤレスで接続するように構成された処理システムと、
前記ユーザ端末における望ましいワイヤレス接続の数を示す情報を前記ユーザ端末に送信するように構成された送信機と
を備える、アクセスポイント。
【請求項１２】
前記処理システムが、
バッファサイズ、メモリ、またはエアタイム容量のうちの少なくとも１つが前記アクセスポイントにおける新しいワイヤレス接続をもはやサポートすることができないと決定することと、
前記決定に基づいて前記情報を生成することと
を行うように構成された、請求項１１に記載のアクセスポイント。
【請求項１３】
前記アクセスポイントにおける望ましいワイヤレス接続の数を示す他の情報をアクセスポイントから受信するように構成された受信機
をさらに備え、
前記処理システムが、前記他の情報に基づいて前記情報を生成するように構成された、請求項１１に記載のアクセスポイント。
【請求項１４】
前記情報がビーコンフレームを介して送信される、請求項１１に記載のアクセスポイント。
【請求項１５】
前記情報が、前記アクセスポイントに新たに接続することができる局、リレー、または局とリレーの数を示す、請求項１１に記載のアクセスポイント。
【請求項１６】
前記情報は、前記アクセスポイントが新しいワイヤレス接続を受け付けるかどうかを示す値に設定された１ビットを備える、請求項１１に記載のアクセスポイント。
【請求項１７】
前記情報は、前記ユーザ端末における望ましいワイヤレス接続の前記数が前記アクセスポイントと前記ユーザ端末との間のホップの数に基づくことを示す、請求項１１に記載のアクセスポイント。
【請求項１８】
マルチホップリレー構造におけるユーザ端末におけるワイヤレス通信のための方法であって、前記ユーザ端末がアクセスポイントにワイヤレスで接続され、
他の装置にワイヤレスで接続する前記アクセスポイントの能力に関係する情報を前記アクセスポイントから受信することと、
前記情報に基づいて前記ユーザ端末におけるワイヤレス接続を制限することと
を備える、方法。
【請求項１９】
前記情報が、前記アクセスポイントに新たに接続することができる局、リレー、または局とリレーの数を示し、
前記制限することが、前記アクセスポイントに新たに接続することができる局、リレー、または局とリレーの前記数に基づいてワイヤレス接続の数を制限することを備える、
請求項１８に記載の方法。
【請求項２０】
前記情報が、前記ユーザ端末と前記アクセスポイントとの間のホップの数に基づく前記ユーザ端末における望ましいワイヤレス接続の数を示し、
前記制限することが、望ましいワイヤレス接続の前記数に基づいてワイヤレス接続の数を制限することを備える、
請求項１８に記載の方法。
【請求項２１】
前記情報は、前記アクセスポイントが新しいワイヤレス接続を受け付けるかどうかを示す値に設定された１ビットを備え、
前記制限することは、前記アクセスポイントが新しいワイヤレス接続を受け付けないことを示す値に前記１ビットが設定されたとき、前記ワイヤレス接続をワイヤレス接続の現在の数に制限することを備える、
請求項１８に記載の方法。
【請求項２２】
前記制限することが、
少なくとも１つの現在のワイヤレス接続をドロップすること、
いくつかの新しいワイヤレス接続を許容すること、または
前記新しいワイヤレス接続を許容しないこと
のうちの少なくとも１つを備える、請求項１８に記載の方法。
【請求項２３】
前記情報に基づいてデータを生成することと、
前記ユーザ端末から、前記ユーザ端末に現在接続された少なくとも１つのリレーまたはアクセスポイントに前記データを送信することと、
をさらに備える、請求項１８に記載の方法。
【請求項２４】
前記送信することが、前記データをブロードキャストすることを備える、請求項２３に記載の方法。
【請求項２５】
前記データが、前記少なくとも１つのリレーまたはアクセスポイントにおける望ましいワイヤレス接続の数を示し、望ましいワイヤレス接続の前記数が、
前記アクセスポイントと前記少なくとも１つのリレーまたはアクセスポイントとの間のホップの数、
前記少なくとも１つのリレーまたはアクセスポイントに新たに接続することができる局の数、
前記少なくとも１つのリレーまたはアクセスポイントに新たに接続することができるリレーの数、あるいは
前記少なくとも１つのリレーまたはアクセスポイントに新たに接続することができる局とリレーの数
のうちの少なくとも１つに従って制限される、請求項２３に記載の方法。
【請求項２６】
前記データが、前記ユーザ端末あるいは前記少なくとも１つのリレーまたはアクセスポイントに新たに接続することができる局、リレー、または局とリレーの数を示す、請求項２３に記載の方法。
【請求項２７】
マルチホップリレー構造におけるアクセスポイントにおけるワイヤレス通信のための方法であって、
ユーザ端末にワイヤレスで接続することと、
前記ユーザ端末における望ましいワイヤレス接続の数を示す情報を前記ユーザ端末に送信することと
を備える、方法。
【請求項２８】
バッファサイズ、メモリ、またはエアタイム容量のうちの少なくとも１つが前記アクセスポイントにおける新しいワイヤレス接続をもはやサポートすることができないと決定することと、
前記決定に基づいて前記情報を生成することと
をさらに備える、請求項２７に記載の方法。
【請求項２９】
前記アクセスポイントにおける望ましいワイヤレス接続の数を示す他の情報をアクセスポイントから受信することと、
前記他の情報に基づいて前記情報を生成することと
をさらに備える、請求項２７に記載の方法。
【請求項３０】
前記情報は、
前記アクセスポイントに新たに接続することができる局、リレー、または局とリレーの数、
前記アクセスポイントが新しいワイヤレス接続を受け付けるかどうか、あるいは
前記ユーザ端末における望ましいワイヤレス接続の前記数が前記アクセスポイントと前記ユーザ端末との間のホップの数に基づくこと、
のうちの少なくとも１つを示す、請求項２７に記載の方法。
【手続補正２】
【補正対象書類名】明細書
【補正対象項目名】００７８
【補正方法】変更
【補正の内容】
【００７８】
[0083]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
以下に、本願出願の当初の特許請求の範囲に記載された発明を付記する。
［Ｃ１］
ワイヤレス通信のための第１の装置であって、前記第１の装置が第２の装置に関連付けられ、
他の装置に関連する前記第２の装置の能力に関係する情報を前記第２の装置から受信するように構成された受信機と、
前記情報に基づいて前記第１の装置における関連を制限するように構成された処理システムと
を備える、第１の装置。
［Ｃ２］
前記情報が、前記第２の装置に新たに関連することができる局、リレー、または局とリレーの数を示し、
前記処理システムが、前記第２の装置に新たに関連することができる局、リレー、または局とリレーの前記の数に基づいて関連の数を制限することによって、前記第１の装置における前記関連を制限するように構成された、
Ｃ１に記載の第１の装置。
［Ｃ３］
前記情報が、前記第１の装置と前記第２の装置との間のホップの数に基づく前記第１の装置における望ましい関連の数を示し、
前記処理システムが、望ましい関連の前記数に基づいて関連の数を制限することによって前記第１の装置における前記関連を制限するように構成された、
Ｃ１に記載の第１の装置。
［Ｃ４］
前記情報は、前記第２の装置が新しい関連を受け付けるかどうかを示す値に設定された１ビットを備え、
前記処理システムは、前記第２の装置が新しい関連を受け付けないことを示す値に前記１ビットが設定されたとき、前記第１の装置における前記関連を関連の現在の数に制限するように構成された、
Ｃ１に記載の第１の装置。
［Ｃ５］
前記処理システムが、
少なくとも１つの現在の関連をドロップすること、
いくつかの新しい関連を許容すること、または
前記新しい関連を許容しないこと
によって、前記第１の装置における前記関連を制限するように構成された、Ｃ１に記載の第１の装置。
［Ｃ６］
前記処理システムが、前記情報に基づいてデータを生成するようにさらに構成され、
前記第１の装置が、前記第１の装置から、前記第１の装置に現在関連付けられた少なくとも１つのリレーまたはアクセスポイントに前記データを送信するように構成された送信機をさらに備える、
Ｃ１に記載の第１の装置。
［Ｃ７］
前記送信機が、前記データをブロードキャストするように構成された、Ｃ６に記載の第１の装置。
［Ｃ８］
前記データが、前記少なくとも１つのリレーまたはアクセスポイントにおける望ましい関連の数を示し、望ましい関連の前記数が、
前記第２の装置と前記少なくとも１つのリレーまたはアクセスポイントとの間のホップの数、
前記少なくとも１つのリレーまたはアクセスポイントに新たに関連することができる局の数、
前記少なくとも１つのリレーまたはアクセスポイントに新たに関連することができるリレーの数、あるいは
前記少なくとも１つのリレーまたはアクセスポイントに新たに関連することができる局とリレーの数
のうちの少なくとも１つに従って制限される、Ｃ６に記載の第１の装置。
［Ｃ９］
前記データがビーコンフレームを介して送信される、Ｃ６に記載の第１の装置。
［Ｃ１０］
前記データが、前記第１の装置あるいは前記少なくとも１つのリレーまたはアクセスポイントに新たに関連することができる局、リレー、または局とリレーの数を示す、Ｃ６に記載の第１の装置。
［Ｃ１１］
ワイヤレス通信のための第１の装置であって、
第２の装置に関連するように構成された処理システムと、
前記第２の装置における望ましい関連の数を示す情報を前記第２の装置に送信するように構成された送信機と
を備える、第１の装置。
［Ｃ１２］
前記処理システムが、
バッファサイズ、メモリ、またはエアタイム容量のうちの少なくとも１つが前記第１の装置における新しい関連をもはやサポートすることができないと決定することと、
前記決定に基づいて前記情報を生成することと
を行うように構成された、Ｃ１１に記載の第１の装置。
［Ｃ１３］
前記第１の装置における望ましい関連の数を示す他の情報をアクセスポイントから受信するように構成された受信機
をさらに備え、
前記処理システムが、前記他の情報に基づいて前記情報を生成するように構成された、Ｃ１１に記載の第１の装置。
［Ｃ１４］
前記情報がビーコンフレームを介して送信される、Ｃ１１に記載の第１の装置。
［Ｃ１５］
前記情報が、前記第１の装置に新たに関連することができる局、リレー、または局とリレーの数を示す、Ｃ１１に記載の第１の装置。
［Ｃ１６］
前記情報は、前記第１の装置が新しい関連を受け付けるかどうかを示す値に設定された１ビットを備える、Ｃ１１に記載の第１の装置。
［Ｃ１７］
前記情報は、前記第２の装置における望ましい関連の前記数が前記第１の装置と前記第２の装置との間のホップの数に基づくことを示す、Ｃ１１に記載の第１の装置。
［Ｃ１８］
第１の装置におけるワイヤレス通信のための方法であって、前記第１の装置が第２の装置に関連付けられ、
他の装置に関連する前記第２の装置の能力に関係する情報を前記第２の装置から受信することと、
前記情報に基づいて前記第１の装置における関連を制限することと
を備える、方法。
［Ｃ１９］
前記情報が、前記第２の装置に新たに関連することができる局、リレー、または局とリレーの数を示し、
前記制限することが、前記第２の装置に新たに関連することができる局、リレー、または局とリレーの数に基づいて関連の数を制限することを備える、
Ｃ１８に記載の方法。
［Ｃ２０］
前記情報が、前記第１の装置と前記第２の装置との間のホップの数に基づく前記第１の装置における望ましい関連の数を示し、
前記制限することが、望ましい関連の前記数に基づいて関連の数を制限することを備える、
Ｃ１８に記載の方法。
［Ｃ２１］
前記情報は、前記第２の装置が新しい関連を受け付けるかどうかを示す値に設定された１ビットを備え、
前記限定することは、前記第２の装置が新しい関連を受け付けないことを示す値に前記１ビットが設定されたとき、前記関連を関連の現在の数に制限することを備える、
Ｃ１８に記載の方法。
［Ｃ２２］
前記限定することが、
少なくとも１つの現在の関連をドロップすること、
いくつかの新しい関連を許容すること、または
前記新しい関連を許容しないこと
のうちの少なくとも１つを備える、Ｃ１８に記載の方法。
［Ｃ２３］
前記情報に基づいてデータを生成することと、
前記第１の装置から、前記第１の装置に現在関連付けられた少なくとも１つのリレーまたはアクセスポイントに前記データを送信することと、
をさらに備える、Ｃ１８に記載の方法。
［Ｃ２４］
前記送信することが、前記データをブロードキャストすることを備える、Ｃ２３に記載の方法。
［Ｃ２５］
前記データが、前記少なくとも１つのリレーまたはアクセスポイントにおける望ましい関連の数を示し、望ましい関連の前記数が、
前記第２の装置と前記少なくとも１つのリレーまたはアクセスポイントとの間のホップの数、
前記少なくとも１つのリレーまたはアクセスポイントに新たに関連することができる局の数、
前記少なくとも１つのリレーまたはアクセスポイントに新たに関連することができるリレーの数、あるいは
前記少なくとも１つのリレーまたはアクセスポイントに新たに関連することができる局とリレーの数
のうちの少なくとも１つに従って制限される、Ｃ２３に記載の方法。
［Ｃ２６］
前記データが、前記第１の装置あるいは前記少なくとも１つのリレーまたはアクセスポイントに新たに関連することができる局、リレー、または局とリレーの数を示す、Ｃ２３に記載の方法。
［Ｃ２７］
第１の装置におけるワイヤレス通信のための方法であって、
前記第２の装置に関連することと、
前記第２の装置における望ましい関連の数を示す情報を前記第２の装置に送信することと
を備える、方法。
［Ｃ２８］
バッファサイズ、メモリ、またはエアタイム容量のうちの少なくとも１つが前記第１の装置における新しい関連をもはやサポートすることができないと決定することと、
前記決定に基づいて前記情報を生成することと
をさらに備える、Ｃ２７に記載の方法。
［Ｃ２９］
前記第１の装置における望ましい関連の数を示す他の情報をアクセスポイントから受信することと、
前記他の情報に基づいて前記情報を生成することと
をさらに備える、Ｃ２７に記載の方法。
［Ｃ３０］
前記情報は、
前記第１の装置に新たに関連することができる局、リレー、または局とリレーの数、
前記第１の装置が新しい関連を受け付けるかどうか、あるいは
前記第２の装置における望ましい関連の前記数が前記第１の装置と前記第２の装置との間のホップの数に基づくこと、
のうちの少なくとも１つを示す、Ｃ２７に記載の方法。
【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
マルチホップリレー構造におけるワイヤレス通信のためにリレーとして働くユーザ端末であって、前記ユーザ端末がアクセスポイントにワイヤレスで接続され、
他のユーザ端末にワイヤレスで接続する前記アクセスポイントの能力に関係する情報を前記アクセスポイントから受信するように構成された受信機と、
前記情報に基づいて前記ユーザ端末におけるワイヤレス接続を制限するように構成された処理システムと
を備える、ユーザ端末。
【請求項２】
前記情報が、前記アクセスポイントに新たにワイヤレスで接続することができるユーザ端末の数を示し、
前記処理システムが、前記アクセスポイントに新たにワイヤレスで接続することができるユーザ端末の前記数に基づいてワイヤレス接続の数を制限することによって、前記ユーザ端末における前記ワイヤレス接続を制限するように構成された、
請求項１に記載のユーザ端末。
【請求項３】
前記情報が、前記ユーザ端末と前記アクセスポイントとの間のホップの数に基づく前記ユーザ端末における望ましいワイヤレス接続の数を示し、
前記処理システムが、望ましいワイヤレス接続の前記数に基づいてワイヤレス接続の数を制限することによって前記ユーザ端末における前記ワイヤレス接続を制限するように構成された、
請求項１に記載のユーザ端末。
【請求項４】
前記情報は、前記アクセスポイントが新しいワイヤレス接続を受け付けるかどうかを示す値に設定された１ビットを備え、
前記処理システムは、前記アクセスポイントが新しいワイヤレス接続を受け付けないことを示す値に前記１ビットが設定されたとき、前記ユーザ端末における前記ワイヤレス接続をワイヤレス接続の現在の数に制限するように構成された、
請求項１に記載のユーザ端末。
【請求項５】
前記処理システムが、
少なくとも１つの現在のワイヤレス接続をドロップすること、
いくつかの新しいワイヤレス接続を許容すること、または
前記新しいワイヤレス接続を許容しないこと
によって、前記ユーザ端末における前記ワイヤレスで接続を制限するように構成された、請求項１に記載のユーザ端末。
【請求項６】
前記処理システムが、前記情報に基づいてデータを生成するようにさらに構成され、
前記ユーザ端末が、前記ユーザ端末から、前記ユーザ端末に現在接続された少なくとも１つのリレーまたはアクセスポイントに前記データを送信するように構成された送信機をさらに備える、
請求項１に記載のユーザ端末。
【請求項７】
前記送信機が、前記データをブロードキャストするように構成された、請求項６に記載のユーザ端末。
【請求項８】
前記データが、前記少なくとも１つのリレーまたはアクセスポイントにおける望ましいワイヤレス接続の数を示し、望ましいワイヤレス接続の前記数が、
前記アクセスポイントと前記少なくとも１つのリレーまたはアクセスポイントとの間のホップの数、
前記少なくとも１つのリレーまたはアクセスポイントに新たに接続することができる局の数、
前記少なくとも１つのリレーまたはアクセスポイントに新たに接続することができるリレーの数、あるいは
前記少なくとも１つのリレーまたはアクセスポイントに新たに接続することができる局とリレーの数
のうちの少なくとも１つに従って制限される、請求項６に記載のユーザ端末。
【請求項９】
前記データがビーコンフレームを介して送信される、請求項６に記載のユーザ端末。
【請求項１０】
前記データが、前記ユーザ端末あるいは前記少なくとも１つのリレーまたはアクセスポイントに新たに接続することができる局、リレー、または局とリレーの数を示す、請求項６に記載のユーザ端末。
【請求項１１】
マルチホップリレー構造におけるワイヤレス通信のためのアクセスポイントであって、
ユーザ端末にワイヤレスで接続するように構成された処理システムと、
前記ユーザ端末における望ましいワイヤレス接続の数を示す情報を前記ユーザ端末に送信するように構成された送信機と
を備える、アクセスポイント。
【請求項１２】
前記処理システムが、
バッファサイズ、メモリ、またはエアタイム容量のうちの少なくとも１つが前記アクセスポイントにおける新しいワイヤレス接続をもはやサポートすることができないと決定することと、
前記決定に基づいて前記情報を生成することと
を行うように構成された、請求項１１に記載のアクセスポイント。
【請求項１３】
前記アクセスポイントにおける望ましいワイヤレス接続の数を示す他の情報をアクセスポイントから受信するように構成された受信機
をさらに備え、
前記処理システムが、前記他の情報に基づいて前記情報を生成するように構成された、請求項１１に記載のアクセスポイント。
【請求項１４】
前記情報がビーコンフレームを介して送信される、請求項１１に記載のアクセスポイント。
【請求項１５】
前記情報が、前記アクセスポイントに新たに接続することができる局、リレー、または局とリレーの数を示す、請求項１１に記載のアクセスポイント。
【請求項１６】
前記情報は、前記アクセスポイントが新しいワイヤレス接続を受け付けるかどうかを示す値に設定された１ビットを備える、請求項１１に記載のアクセスポイント。
【請求項１７】
前記情報は、前記ユーザ端末における望ましいワイヤレス接続の前記数が前記アクセスポイントと前記ユーザ端末との間のホップの数に基づくことを示す、請求項１１に記載のアクセスポイント。
【請求項１８】
マルチホップリレー構造におけるユーザ端末におけるワイヤレス通信のための方法であって、前記ユーザ端末がアクセスポイントにワイヤレスで接続され、
他のユーザ局にワイヤレスで接続する前記アクセスポイントの能力に関係する情報を前記アクセスポイントから受信することと、
前記情報に基づいて前記ユーザ端末におけるワイヤレス接続を制限することと
を備える、方法。
【請求項１９】
前記情報が、前記アクセスポイントに新たに接続することができるユーザ端末の数を示し、
前記制限することが、前記アクセスポイントに新たに接続することができるユーザ端末の前記数に基づいてワイヤレス接続の数を制限することを備える、
請求項１８に記載の方法。
【請求項２０】
前記情報が、前記ユーザ端末と前記アクセスポイントとの間のホップの数に基づく前記ユーザ端末における望ましいワイヤレス接続の数を示し、
前記制限することが、望ましいワイヤレス接続の前記数に基づいてワイヤレス接続の数を制限することを備える、
請求項１８に記載の方法。
【請求項２１】
前記情報は、前記アクセスポイントが新しいワイヤレス接続を受け付けるかどうかを示す値に設定された１ビットを備え、
前記制限することは、前記アクセスポイントが新しいワイヤレス接続を受け付けないことを示す値に前記１ビットが設定されたとき、前記ワイヤレス接続をワイヤレス接続の現在の数に制限することを備える、
請求項１８に記載の方法。
【請求項２２】
前記制限することが、
少なくとも１つの現在のワイヤレス接続をドロップすること、
いくつかの新しいワイヤレス接続を許容すること、または
前記新しいワイヤレス接続を許容しないこと
のうちの少なくとも１つを備える、請求項１８に記載の方法。
【請求項２３】
前記情報に基づいてデータを生成することと、
前記ユーザ端末から、前記ユーザ端末に現在接続された少なくとも１つのリレーまたはアクセスポイントに前記データを送信することと、
をさらに備える、請求項１８に記載の方法。
【請求項２４】
前記送信することが、前記データをブロードキャストすることを備える、請求項２３に記載の方法。
【請求項２５】
前記データが、前記少なくとも１つのリレーまたはアクセスポイントにおける望ましいワイヤレス接続の数を示し、望ましいワイヤレス接続の前記数が、
前記アクセスポイントと前記少なくとも１つのリレーまたはアクセスポイントとの間のホップの数、
前記少なくとも１つのリレーまたはアクセスポイントに新たに接続することができる局の数、
前記少なくとも１つのリレーまたはアクセスポイントに新たに接続することができるリレーの数、あるいは
前記少なくとも１つのリレーまたはアクセスポイントに新たに接続することができる局とリレーの数
のうちの少なくとも１つに従って制限される、請求項２３に記載の方法。
【請求項２６】
前記データが、前記ユーザ端末あるいは前記少なくとも１つのリレーまたはアクセスポイントに新たに接続することができる局、リレー、または局とリレーの数を示す、請求項２３に記載の方法。
【請求項２７】
マルチホップリレー構造におけるアクセスポイントにおけるワイヤレス通信のための方法であって、
ユーザ端末にワイヤレスで接続することと、
前記ユーザ端末における望ましいワイヤレス接続の数を示す情報を前記ユーザ端末に送信することと
を備える、方法。
【請求項２８】
バッファサイズ、メモリ、またはエアタイム容量のうちの少なくとも１つが前記アクセスポイントにおける新しいワイヤレス接続をもはやサポートすることができないと決定することと、
前記決定に基づいて前記情報を生成することと
をさらに備える、請求項２７に記載の方法。
【請求項２９】
前記アクセスポイントにおける望ましいワイヤレス接続の数を示す他の情報をアクセスポイントから受信することと、
前記他の情報に基づいて前記情報を生成することと
をさらに備える、請求項２７に記載の方法。
【請求項３０】
前記情報は、
前記アクセスポイントに新たに接続することができるユーザ端末の数、
前記アクセスポイントが新しいワイヤレス接続を受け付けるかどうか、あるいは
前記ユーザ端末における望ましいワイヤレス接続の前記数が前記アクセスポイントと前記ユーザ端末との間のホップの数に基づくこと、
のうちの少なくとも１つを示す、請求項２７に記載の方法。
【国際調査報告】
2016534630.tif 000011
2016534630.tif 000012
2016534630.tif 000013